(57)【要約】【課題】ディスペンサーのノズルにおける内容物の乾燥、固化に起因した閉塞を確実に防止する。【解決手段】ディスペンサー（１）のノズル（１ｂ）を格納、保護するカバーを、前記ディスペンサー(１)の少なくとも半周域をその頭部とともに取り囲んで着脱自在に係合保持される周壁(２ａ)と、ノズル（１ｂ）の先端に対面する行き止まり壁（ｈ）を有し該周壁(２ａ)に連係する凹状空間（Ｋ）を形成するとともにその凹状空間（Ｋ）内にノズル（１ｂ）を挿通、位置させて格納する格納壁部（２ｂ）からなるものにて構成する。そして、前記格納壁部（２ｂ）の凹状空間（Ｋ）内に、ディスペンサー(１)のノズル(１ｂ)の先端部に嵌合してその注出開孔を封止する軟質性シール部材（３）を配置、固定する。【選択図】図１
2006151453.tif 000002
【特許請求の範囲】
【請求項１】
ディスペンサーのノズルを格納、保護するカバーであって、
前記ディスペンサーの少なくとも半周域をその頭部とともに取り囲んで着脱自在に係合保持される周壁と、ノズルの先端に対面する行き止まり壁を有し該周壁に連係する凹状空間を形成するとともにその凹状空間内にノズルを挿通、位置させて格納する格納壁部からなり、
前記格納壁部の凹状空間に、ディスペンサーのノズルの先端部に適合してその注出開孔を封止する軟質性シール部材を設けたことを特徴とするディスペンサーのノズルカバー。
【請求項２】
前記軟質性シール部材は、ノズルの先端部に嵌合する凹部を有する請求項１記載のディスペンサーのノズルカバー。
【請求項３】
前記周壁は、ディスペンサーの頭頂部を覆う天面壁部と、この天面壁部に一体連結してディスペンサーの少なくとも半周域にわたって伸延する弾性変位可能な側壁部からなり、    前記側壁部の各伸延末端部の少なくとも一箇所にそれぞれ、ディスペンサーに連係して該周壁を格納壁部とともに係止する爪部を設け、
前記軟質性シール部材は、ノズルの先端部に押当てて注出開孔を封止する平坦面を有する、請求項１記載のディスペンサーのノズルカバー。
【発明の詳細な説明】
【技術分野】
【０００１】
本発明は、容器内の内容物をノズルを通して適量取り出すのに適したディスペンサーのノズルカバーに関するものであり、該ディスペンサーのノズルの注出開孔を確実に封止することによりその注出開孔近傍域で発生しがちな内容物の乾燥、固化に起因したノズル閉塞を確実に防止しようとするものである。
【背景技術】
【０００２】
シャンプーやリンス、化粧水あるいは液体石鹸等を入れた据え置きタイプの容器には、押圧ヘッドを作動させることで容器内の内容物をノズルを通して適量注出するためディスペンサーが装着されている。
【０００３】
ところで、内容物として流動性があり、即乾性を有するものが充填されている容器にあっては、注出に係わる内容物がディスペンサーのノズルの注出開孔近傍域に付着、固化することがありノズル閉塞を引き起こす不具合がたびたび見られた。
【０００４】
この点に関しては、前部を開口した有頂筒状とし、ステム両側面及び後面と、噴出ヘッド上面及び両側面及び後面とを被覆する基部下端縁を、装着キャップ上面中央部に突設した環状の係止突条外周に着脱自在に嵌合させるとともに、基部の前部開口縁より、ノズル筒上面及び両側面を被覆するノズル筒被覆部を延設してなるキャップ本体と、ノズル筒被覆部の頂板前縁に回動可能に上縁を連結するとともに、裏面より突設した嵌合筒をノズル筒先端に着脱可能に嵌合させた蓋板とを設けたキャップを備えた液体噴出器が提案されている（例えば、特許文献１参照）。
【特許文献１】特開平１１−４３１６５号公報
【０００５】
上記のような従来のキャップを備えた液体噴出器は、キャップの蓋板がノズル筒先端に嵌合するものであることから、内容物の乾燥、固化を抑制する点では著しい改善効果は見られたが、該蓋板は頂板前縁に回動可能に連結されているため、該蓋板に不用意な力が作用した場合にノズル筒先端における嵌合が簡単に解除されてしまうことが懸念され、また、これに加え、蓋板はキャップ本体とは基本的に同材質にて構成されていることから、選択される樹脂によっては、嵌合部位からの空気の侵入を確実に回避する点では未だ十分であるとは言えないのが現状であって、とくに、シール性のより一層の改善が求められていた。
【発明の開示】
【発明が解決しようとする課題】
【０００６】
本発明の課題は、ディスペンサーのノズル先端部の注出開孔を構造の複雑化を伴うことなしに確実に封止してノズル注出開孔近傍域での内容物の乾燥、固化を確実に防止できる新規なノズルカバーを提案するところにある。
【課題を解決するための手段】
【０００７】
本発明は、ディスペンサーのノズルを格納、保護するカバーであって、
前記ディスペンサーの少なくとも半周域をその頭部とともに取り囲んで着脱自在に係合保持される周壁と、ノズルの先端に対面する行き止まり壁を有し該周壁に連係する凹状空間を形成するとともにその凹状空間内にノズルを挿通、位置させて格納する格納壁部からなり、
前記格納壁部の凹状空間に、ディスペンサーのノズルの先端部に適合してその注出開孔を封止する軟質性シール部材を設けたことを特徴とするディスペンサーのノズルカバーであり、該軟質性シール部材は、ノズルの先端部に嵌合する凹部を有するものが好ましい。
【０００８】
上記の構成になるノズルカバーにおいて、前記周壁は、ディスペンサーの頭頂部を覆う天面壁部と、この天面壁部に一体連結してディスペンサーの少なくとも半周域にわたって伸延する弾性変位可能な側壁部からなり、
前記側壁部の各伸延末端部の少なくとも一箇所にそれぞれ、ディスペンサーに連係して該周壁を格納壁部とともに係止する爪部を設け、
前記軟質性シール部材に、ノズルの先端部に押当てて注出開孔を封止する平坦面を設けるのが好ましい。
【発明の効果】
【０００９】
ディスペンサーのノズルを格納する格納壁部の凹状空間内に軟質性シール部材を設けて、ノズルを格納する際に、ノズルの先端部を軟質性シール部材にて嵌合させるか、あるいは押し当てることで注出開孔を封止するので、内容物の乾燥、固化が抑制される。
【発明を実施するための最良の形態】
【００１０】
以下、図面を用いて本発明をより具体的に説明する。
図１は本発明に従う合成樹脂製のノズルカバーの実施の形態をディスペンサーに装着した状態で示した断面図であり、図２はその外観を示した図である。
【００１１】
図における１は容器の口部に装着されたディスペンサーである。このディスペンサー１は押圧ヘッド１ａと、この押圧ヘッド１ａに設けられたノズル１ｂと、ディスペンサー１を容器の口部に固定保持するベースキャップ１ｃと、このベースキャップ１ｃを覆い隠す化粧カバー１ｄとを備えたポンプタイプのものを例として示してあり、押圧ヘッド１ａを押圧することで容器内の内容物をノズル１ｂを通して注出することができるようになっている。
【００１２】
また、２はディスペンサー１に取り付けられノズル１ｂを格納、保護するためのノズルカバーである。このカバー２はディスペンサー１の少なくとも半周域をその頭部とともに取り囲んで後述の略Ｃ形状を呈する側壁部２ａ２の弾性変形力および化粧カバー１ｄの周壁に形成されたアンダーカットＣの如き係合手段にて着脱自在に係合保持される周壁２ａ（天面壁部２ａ１と側壁部２ａ２からなる）と、ノズル１ｂの先端に対面する行き止まり壁ｈを有し、該周壁２ａに連係する凹状空間Ｋを形成するとともにその空間Ｋ内にノズル１ｂを挿通、位置させて格納する格納壁部２ｂからなる。なお、図示の実施の形態では、格納壁部２ｂには行き止まり壁ｈ側に後述する軟質性シール部材の端部形状と合致する段部が形成されている。
【００１３】
３は格納壁部２ｂの凹状空間Ｋ内でその開放方向先端または周壁が、格納壁部２ｂの周壁に形成された環状または間欠状のアンダーカットＤの如き係合手段にて嵌合保持される軟質性シール部材である。軟質性シール部材３は、ノズルカバー２を取り付けるとき、ノズル１ｂの先端部が凹部３ａにて嵌合してその注出開孔を確実に封止する。
【００１４】
上記の構成になるノズルカバー２は図２のＡ−Ａ断面を図３に示すように、ディスペンサーの側面を取り囲む側壁部２ａ２が略Ｃ形状を呈しており、水平方向(図中Ｘ)に沿う差込みと引き抜きにより該側壁部２ａ２を弾性変位させてノズルカバー２の着脱を行う（カバーの着脱に際して押圧ヘッド１ａを押してしまうおそれがない）。なお、前述のアンダーカットＣ（化粧カバー１ｄ周壁に形成したもの）は、ノズルカバー２の上方への不用意な変位を防止するもので、ノズルカバー２の格納壁部２ｂに固定保持された軟質性シール部材３によるノズル１ｂの先端部の安定した嵌合を補助している。
【００１５】
図４〜６は本発明に従うノズルカバー２の他の実施の形態を示したものである。この例は、ノズルカバー２の側壁部２ａ２の各伸延末端部の少なくとも一箇所にそれぞれ、ディスペンサー１に連係させてノズルカバー２を係止する爪部４を設ける一方で、軟質性性シール部材３に平坦面３ｂを形成して、この平坦面３ｂをノズル１ｂの先端部に押し当てる構造のものである。
【００１６】
この構成のノズルカバー１は軟質性シール部材３との接触部が平坦面３ｂであり、ただ単に軟質性シール部材３を接触させただけではノズル１ｂの注出開孔を確実に封止するこ
とはできないが、ノズルカバー２をディスペンサー１に取り付けるべく、爪部４をディスペンサー１に連係させて、軟質性シール部材３をノズル１ｂの先端部に強く押し付けることでノズル１ｂの注出開孔を確実に封止する。
【００１７】
この例のノズルカバー２も図６に図５のＢ−Ｂ断面を示すように側壁部２ａ２が略Ｃ形状を呈するもので、水平方向に沿う差込みと引き抜きにより該側壁部２ａ２を弾性変位させてノズルカバー２の着脱を行う。なお、図示の例では、前述の如く、爪部４をディスペンサー１に連係させるためディスペンサー１の押圧ヘッド１ａの周壁に形成された溝部に係合させる構造を示した（図６参照）が、本発明はこれに限るものではなく、例えば押圧ヘッド１ａに突起又は縦突条を設けノズルカバー２の装着の際、爪部４が同箇所を乗り越えて係合させる構成を採用してもよい。
【００１８】
なお、本発明の実施の形態では、側壁部２ａ２を弾性変位させてノズルカバー２の着脱を行うものを例として示したが、天面壁部２ａ１を弾性変位させてノズルカバー２の着脱を行うようにしてもよく、この点については限定されない。
【００１９】
軟質性シール部材３は、ブチルゴムやシリコンゴム、エラストマー、発泡ポリエチレン、パッキン等を適用することが可能である。また、ノズルカバー２と同系の材質（例えば、軟質性シール部材３としてオレフィン系のエラストマー樹脂を使用し、ノズルカバー２をオレフィン系の樹脂にて構成する）のものを使用するのが好ましく、これにより例えば、軟質性シール部材３をノズルカバー２に対してインサート成形した場合に相互に融着することが可能となり、該軟質性シール部材３の格納壁部２ｂに対する固定をより強固とすることができる。
【産業上の利用可能性】
【００２０】
着脱が簡単で、ノズルの注出開孔を確実に封止できるノズルカバーが提供できる。
【図面の簡単な説明】
【００２１】
【図１】本発明に従うノズルカバーの実施の形態を示した図である。
【図２】図１に示したノズルカバーの側面の外観を示した図である。
【図３】図２のＡ−Ａ断面を示した図である。
【図４】本発明にしたがうノズルカバーの他の実施の形態を示した図である。
【図５】図４の側面の外観を示した図である。
【図６】図５のＢ−Ｂ断面を示した図である。
【符号の説明】
【００２２】
１  ディスペンサー
１ａ  押圧ヘッド
１ｂ  ノズル
１ｃ  ベースキャップ
１ｄ  化粧カバー
２  ノズルカバー
２ａ  周壁
２ｂ  格納壁部
３  軟質性シール部材
３ａ  凹部
３ｂ  平坦面
４  爪部
Ｋ  凹状空間
Ｃ  アンダーカット
Ｄ  アンダーカット
【図１】
2006151453.tif 000003
【図２】
2006151453.tif 000004
【図３】
2006151453.tif 000005
【図４】
2006151453.tif 000006
【図５】
2006151453.tif 000007
【図６】
2006151453.tif 000008